(57)【特許請求の範囲】
【請求項１】
収納部と支持部とを備え、
前記収納部を車両の内装部材に設けられた小物入れに収納させるとともに、
前記支持部を前記小物入れに係止させて使用される車両用物品ホルダーにおいて、
前記収納部は上部の開口部から底部に向かってテーパー形状となるような外壁部を備え、
前記外壁部は断面略矩形であって、
前記収納部の底部が前記外壁部の底部より高くなっており、
前記外壁部の底部には底板部が設けられ、前記底板部には孔部が形成され、
前記底板部が前記孔部の周囲において、前記開口部側に向かう折り返し部を備えることを特徴とする車両用物品ホルダー。
【請求項２】
前記外壁部の前記折り返し部の上端位置から上方には外壁孔部が形成されていることを特徴とする請求項１記載の車両用物品ホルダー。
【請求項３】
収納部と支持部とを備え、
前記収納部を車両の内装部材に設けられた小物入れに収納させるとともに、
前記支持部を前記小物入れに係止させて使用される車両用物品ホルダーにおいて、
前記収納部は上部の開口部から底部に向かってテーパー形状となるような外壁部を備え、
前記外壁部は断面略矩形であって、
前記収納部の底部が前記外壁部の底部より高くなっており、
前記外壁部の内面には、前記外壁部の板厚が前記開口部から前記底部に向かって薄くなって形成された凹所が設けられていることを特徴とする車両用物品ホルダー。
【請求項４】
前記外壁孔部には、収納物の下部が載置される載置受け部が設けられていることを特徴とする請求項２記載の車両用物品ホルダー。
【請求項５】
前記凹所の下部には、収納物の下部が載置される載置受け部が設けられていることを特徴とする請求項３記載の車両用物品ホルダー。
【発明の詳細な説明】
【技術分野】
【０００１】
本発明は、車両に用いる車両用物品ホルダーに関する。
【背景技術】
【０００２】
従来、この種のものとして、一体に設けられたコンソールボックス本体の収納凹部の後方側に嵌合凹部を設ける一方、コンソールボックス本体と別体に形成され、かつカップホルダーとして使用する収納凹部が一体に形成されている可動部品を設け、１個のカップの使用時には、コンソールボックス本体の収納凹部に可動部品の収納凹部を挿入して収納配置し、２個のカップの使用時には、コンソールボックス本体の収納凹部から可動部品を取外し、コンソールボックス本体の嵌合凹部に可動部品の前辺部を嵌め込んで取付けるようにしている車両用カップホルダー（例えば特許文献１）がある。
【０００３】
前記車両用カップホルダーでは、コンソールボックス本体の収納凹部に可動部材の収納凹部を収納配置して使用することができ、また、コンソールボックス本体の嵌合凹部に可動部品の前辺部を嵌め込むことにより、可動部材をコンソールボックス本体の外部に吊設して両方の収納凹部を使用することができる。
【０００４】
また、底すぼまりの勾配のある側壁を有する収納部と、前記収納部に収納されるカップホルダーからなる着脱式カップホルダーの構造であって、前記カップホルダーは、上面視略方形の上板部と、前記上板部に形成された開口部と、前記開口部に連続して形成された凹み部と、前記上板部の一辺から下方に向かって延設された縦壁とを有し、前記収納部の開口縁に掛止する際には、前記凹み部の外面と前記縦壁との隙間が開いて前記収納部の開口縁を狭持し、前記収納部の底面に入れた際には、前記凹み部の外面と前記縦壁との隙間が押し込まれて縦壁を押圧する着脱式カップホルダー（例えば特許文献２）がある。
【０００５】
前記着脱式カップホルダーでも、収納部にカップホルダーを収納して使用することができ、また、カップホルダーを収納部の外部に吊設して収納部とカップホルダーを使用することができる。
【先行技術文献】
【特許文献】
【０００６】
【特許文献１】特開２００４−１１４７６６号公報
【特許文献２】特開２０１２−１４００８７号公報
【発明の概要】
【発明が解決しようとする課題】
【０００７】
上記従来技術において、コンソールボックス本体の収納凹部は、使用が想定される収納物の保持特性を確保するために収納物のサイズに概ね合わせた大きさを有する。
【０００８】
そして、この種の車両の内装部材は一般的に合成樹脂のインジェクション製品からなるため、特許文献１では、コンソールボックス本体の収納凹部への収納を可能とするため、単純に可動部品の収納凹部の形状をその板厚相当分だけ小さくした場合、板厚相当分だけ可動部品の収納凹部が小さくなってしまい、可動部品の収納凹部には想定される収納物を収納することができず、しかも、可動部品の収納凹部の底部分が小さくなり、収納物の保持が不安定になるという問題があり、特許文献２でも同様な問題がある。
【０００９】
そこで、本発明は上記した問題点に鑑み、小物入れに係止して使用可能で、収納物を安定して保持することができる車両用物品ホルダーを提供することを目的とする。
【課題を解決するための手段】
【００１０】
上記目的を達成するために、請求項１に係る発明は、収納部と支持部とを備え、前記収納部を車両の内装部材に設けられた小物入れに収納させるとともに、前記支持部を前記小物入れに係止させて使用される車両用物品ホルダーにおいて、前記収納部は上部の開口部から底部に向かってテーパー形状となるような外壁部を備え、前記外壁部は断面略矩形であって、前記収納部の底部が前記外壁部の底部より高くなっており、前記外壁部の底部には底板部が設けられ、前記底板部には孔部が形成され、前記底板部が前記孔部の周囲において、前記開口部側に向かう折り返し部を備えることを特徴とする。
【００１１】
請求項２に係る発明は、前記外壁部の前記折り返し部の上端位置から上方には外壁孔部が形成されていることを特徴とする。
【００１２】
請求項３に係る発明は、収納部と支持部とを備え、前記収納部を車両の内装部材に設けられた小物入れに収納させるとともに、前記支持部を前記小物入れに係止させて使用される車両用物品ホルダーにおいて、前記収納部は上部の開口部から底部に向かってテーパー形状となるような外壁部を備え、前記外壁部は断面略矩形であって、前記収納部の底部が前記外壁部の底部より高くなっており、前記外壁部の内面には、前記外壁部の板厚が前記開口部から前記底部に向かって薄くなって形成された凹所が設けられていることを特徴とする。
【００１３】
請求項４に係る発明は、前記外壁孔部には、収納物の下部が載置される載置受け部が設けられていることを特徴とする。
【００１４】
請求項５に係る発明は、前記凹所の下部には、収納物の下部が載置される載置受け部が設けられていることを特徴とする。
【発明の効果】
【００１５】
本発明の請求項１及び３の構成によれば、収納部をテーパー状にした場合であっても、上げ底とすることで、カップやボトル等の収納物を支持できる。
【００１６】
本発明の請求項１の構成によれば、上げ底を形成しつつ、孔部に挿入することにより傘等を収納することができる。
【００１７】
本発明の請求項２の構成によれば、カップやボトル等の収納物を底まで押し込み易くできる。
【００１８】
本発明の請求項３の構成によれば、収納部の大きさを維持しつつ、収納部の小物入れへの収納が容易となる。
【００１９】
本発明の請求項４の構成によれば、載置受け部により収納物を安定して支持することができる。
【００２０】
本発明の請求項５の構成によれば、載置受け部により収納物を安定して支持することができる。
【図面の簡単な説明】
【００２１】
【図１】本発明の実施例１を示す斜視図である。
【図２】同上、左側面図である。
【図３】同上、右側面図である。
【図４】同上、正面図である。
【図５】同上、図４のＸ−Ｘ線断面図である。
【図６】同上、背面図である。
【図７】同上、平面図である。
【図８】同上、底面図である。
【図９】同上、支持部を小物入れに係止した状態の断面図である。
【図１０】同上、小物入れに収納部を収納した状態の断面図である。
【図１１】同上、使用状態の斜視図である。
【図１２】同上、斜視図である。
【図１３】同上、断面図である。
【図１４】本発明の実施例２を示す要部の断面図である。
【図１５】同上、斜視図である。
【図１６】本発明の実施例３を示す要部の断面図である。
【図１７】本発明の参考例１を示す断面図である。
【図１８】同上、平面図である。
【図１９】本発明の参考例２を示す平面図である。
【図２０】本発明の参考例３を示す断面図である。
【発明を実施するための形態】
【００２２】
以下、図面を参照して、本発明の車両用物品ホルダーの実施例について説明する。
【実施例１】
【００２３】
図１〜図１３は本発明の実施例１を示し、図１〜図１１は本発明の基本構成を示し、図１２〜図１３は請求項に対応した構成を示す。
【００２４】
同図に示すように、車両用物品ホルダー１は、合成樹脂製であって、収納部２と、支持部３とを一体に備える。前記収納部２は、四方に外壁部４，４，４，４を有し、隣り合う外壁部４，４の角部に湾曲部５を設け、外壁部４，４，４，４の平断面は略矩形に形成されている。また、収納部２は、上部に開口部６を有するとともに、下部に底部たる底板部７を有する。さらに、それら外壁部４，４，４，４と底板部７との間に収納空間８を有する。尚、底板部７は収納部２の中心軸Ｚに対して直交して設けられている。
【００２５】
また、図７及び図８等に示すように、平面視で、外壁部４，４，４，４は幅方向の中央が外側に位置するように大きな曲率で湾曲している。尚、中心軸Ｚは縦方向（垂直方向）であり、中心軸Ｚに直交する底板部７は横方向（水平方向）である。また、支持部３は、収納部２の前後方向一側の外壁部４に連結して設けられている。さらに、４つの外壁部４，４，４，４は、開口部６から底板部７に向かって中心軸Ｚに近付く方向に傾斜している。
【００２６】
外壁部４，４，４，４と底板部７との間には、湾曲部７Ａが形成され、また、底板部７には、その中央に円形の孔部９が形成され、この孔部９の周囲で底板部７の下面にはリング状の突部10が設けられている。尚、外壁部４の底部である外壁底部は、前記底板部７の位置にある。
【００２７】
前記外壁部４，４，４，４は、前記開口部６から底板部７に向かって間隔が狭まるようにテーパー状に傾斜して形成されており、即ち、対向する外壁部４，４の間隔は、開口部６から底板部７に向かってテーパー状に狭まる。さらに、外壁部４，４，４，４は、平断面が略矩形で、好ましくは正方形に近い形状である。
【００２８】
前記車両用物品ホルダー１は、車両の内装部材たるインストルメントパネル11に取付け可能であり、インストルメントパネル11は収納凹部12を有する。この収納凹部12は、小物入れであって、前記支持部３が係止する係止孔である。
【００２９】
図９及び図１０に示すように、収納凹部12は、上部の開口部13と下部の底面部14を有し、平断面が略角型で、四方の内面部15，15，15，15は、開口部13から底面部14に向かって間隔が狭まるようにテーパー状に傾斜して形成され、前記外壁部４，４，４，４の外面より僅かに大きく形成されている。また、前記支持部３は、収納凹部12の開口部13の縁部13Ｆに係止する。尚、この縁部13Ｆは開口部13における車両の後側に位置する。
【００３０】
前記支持部３は、前記収納凹部12の周縁の一部である後側の前記縁部13Ｆを覆う上板部21と、前記収納凹部12に挿入される立板部22とを一体に備える。前記上板部21は、収納部２の横方向に対する角度θ１（挟角）が２０度〜４０度（２０度以上、４０度以下）、実施例では略３０度であり、前記立板部22は、中心軸Ｚに対する角度θ２が５度〜２５度、実施例では略１５度であり、角度θ１が角度θ２より大きい。そして、角度θ１は垂直より水平に近く、角度θ２は水平より垂直に近い。また、上板部21と立板部22とのなす角度θ３は鈍角であり、実施例では略１３５度であり、収納部２の横方向に対する上板部21の前記角度θ１は鋭角である。尚、支持部３を設けた外壁部４と立板部22の間隔は、下方に向かって開くように設定されている。
【００３１】
前記開口部６は、前記支持部３側である一側部６Ａが前記上板部21と略連続する傾斜状で、且つ一側部６Ａが上に凸に形成されるとともに、反支持部側である他側部６Ｂが前記上板部21と逆向きに傾斜し、他側部６Ｂの水平に対する角度は前記角度θ１より小さく、前記一側部６Ａと他側部６Ｂの中央部６Ｃが他より高く形成されている。
【００３２】
図９に示すように、前記インストルメントパネル11の収納凹部12を設けた上面部16も、前記一側部６Ａ，他側部６Ｂに対応して、車両後側の一側傾斜上面部16Ａと車両前側の他側傾斜上面部16Ｂとを有し、これら一側傾斜上面部16Ａと他側傾斜上面部16Ｂは前記一側部６Ａと他側部６Ｂと略同様に傾斜及び湾曲するとともに、一側部６Ａと他側部６Ｂの間に中央部16Ｃが設けられている。また、インストルメントパネル11は、上面部16の車両後側に上下方向の前面部17が設けられ、この前面部17は下側が車両後側になるように斜めに形成されている。さらに、この例では、支持部３側の外壁部４と前記前面部17とを略同じ傾斜に形成している。
【００３３】
前記開口部６には、横方向の鍔状部23が周設され、この鍔状部23の外端には、上下略一定高さの板状垂設部24が設けられている。図１〜図３などに示すように、開口部６の一側には垂設部は設けられておらず、垂設部24の両端部24Ｔ，24Ｔは、開口部６の位置より一側に位置する。また、前記上板部21と立板部22の幅は、開口部６の左右最大幅より狭く、底板部７の左右幅より広い。
【００３４】
前記支持部３の下面には、左右に板状のリブ31Ｌ，31Ｒが形成され、これらリブ31Ｌ，31Ｒは前後方向に形成されている。前記リブ31Ｌ，31Ｒは、その先端縁32，32が略横方向の上板側部33，33と、その先端縁32，32が縦方向に斜設された立板側部34，34とを有する。このように立板部22の収納部２側である下面には、収納凹部12への収納方向である略上下方向に、リブ31Ｌ，31Ｒの立板側部34，34が設けられている。また、リブ31Ｌ，31Ｒの下端35，35は、立板部22の下端22Ｋより上方に位置する。
【００３５】
前記上板側部33，33と立板側部34，34との間には、屈曲部36，36が設けられている。さらに、立板側部34，34の先端縁32，32は、逆方向に斜めの一側縁部32Ａ及び他側縁部32Ｂを備え、上に凸状に形成され、側面視で略への字形をなす。尚、図３及び図５に示すように、右側のリブ31Ｒの立板側部34の先端縁32のみに凹部37が形成されている。また、前記一側縁部32Ａと収納部２の横方向のなす角度が鋭角であり、前記一側縁部32Ａと前記立板部22に設けたリブ31Ｒ，31Ｒの先端縁32のなす角度が鈍角である。
【００３６】
前記立板部22の上面部41は意匠面になっており、立板部22の上面部41には文字・図形等の表示部42が印刷，凹部，凸部により、または、表示を有するシールを貼設するなどして設けられ、この例では、表示部42はＵ字を表している。
【００３７】
また、外壁部４の外面上部には、スペーサたる複数の縦リブ部38，38が設けられている。具体的には１つの外壁部４にその幅方向に間隔を置いて一対の縦リブ部38，38が設けられ、これら縦リブ部38，38・・・により、収納部２を前記収納凹部12に対してがたつきを少なくして収納することができる。
【００３８】
次に、前記車両用物品ホルダー１の使用方法につき説明する。小物入れである収納凹部12に取り付けて使用する際は、インストルメントパネル11の開口部13の縁部13Ｆに、支持部３を掛装する。具体的には、縁部13Ｆを外壁部４と立板部22により挟むようにして、上方から立板部22を収納凹部12内に挿入し、上板部21により縁部13Ｆを覆うようにして係止する。この場合、リブ31Ｌ，31Ｒの上板側部33，33の２個所が縁部13Ｆに係止するため、縁部13Ｆが前後方向及び左右方向に立体的に湾曲していても、インストルメントパネル11に物品ホルダー１を安定して保持することができる。
【００３９】
また、インストルメントパネル11の前面部17は、上部より下部が車両の後側になるように傾斜しているのに対して、少なくとも支持部３側の外壁部４が斜めに形成されているから、インストルメントパネル11への取付けが容易となる。即ち、図９に示すように、支持部３側の外壁部４が前面部17に当接し、安定した取付け状態が得られる。さらに、図９に比べて、前面部17の傾斜角度が大きな場合でも、上板部21と立板部22とのなす角度が鈍角であるため、乗員側に底板部７を向けるように収納部２が傾くことで、乗車位置から収納物62を取り出し易い角度に収納部２が設置される。
【００４０】
そして、図９に示すように、インストルメントパネル11の収納凹部12と物品ホルダー１の収納空間８の両者にカップやボトル等の収納物61，62の下部を収納して使用することができる。
【００４１】
また、図１１に示すように、物品ホルダー１は傘63を保持することができ、孔部９に傘63を差し入れ、孔部９により傘63を保持することができる。
【００４２】
一方、収納物61が１つの場合は、図５に示すように、支持部３を車両の後側にして、インストルメントパネル11の収納凹部12に物品ホルダー１の収納部２を入れ、収納空間８に収納物62の下部を収納することができる。この場合、収納部２の底板部７が、収納凹部12の底面部14に接するため、収納凹部12に収納部２が安定した状態で収納される。
【００４３】
また、収納物を収納しない場合でも、収納凹部12に収納部２を収納することにより、物品ホルダー１が邪魔になることがなく、しかも、その収納状態で、乗員に正対する側に後述する表示部が表れるため、外観意匠性にも優れたものとなる。さらに、収納凹部12に収納部２を収納した状態で、外部に露出した支持部３の立板部22を用いて、物品ホルダー１を簡便に取り外すことができる。
【００４４】
図１３では、前記底板部７には、その中央に円形の前記孔部９が形成され、この孔部９の周囲には開口部６側に向かって立設する筒状の折り返し部51が設けられ、この折り返し部51の上端52は前記底板部７と平行に形成されている。尚、この例では、折り返し部51の上端52が収納部２の底部であり、折り返し部51により収納部２の底部の上げ底構造を構成している。また、図１３では、下面側の突部10は設けられていないが、必要に応じて設けることもできる。
【００４５】
前記上端52の高さ位置は、前記収納凹部12に下面62Ｋを載置して収納可能な最大の直径Ｄを有する収納物62が、上端52にその下面62Ｋを載置可能となるように設定されている。尚、直径Ｄは収納物62の底部の直径である。
【００４６】
このように底部に向かってテーパー状に形成された収納部２を底上げすることにより、収納凹部12に収納可能な収納物を安定して収納することができる。
【００４７】
また、前記底板部７には、その中央に円形の前記孔部９が形成され、この孔部９の周囲には開口部６側に向かって立設する筒状の折り返し部51を設けることにより、底板部７と四方の外壁部４，４，４，４の下部と折り返し部51とにより、水桶部57が形成されるから、例えば冷たい収納物62の外面に発生する結露や、折り返し部51及び孔部９に挿入保持した傘63の上端52より上に付いた水滴を、水桶部57により受けて溜めることができる。
【００４８】
さらに、前記立板部22の上面部41は意匠面になっており、その上面部41には文字・図形等の表示部42が印刷，凹部，凸部などにより、または、表示を有するシールを貼設するなどして設けられ、この例では、表示部42はＵ字を表している。
【００４９】
このため収納凹部12に収納部２を収納した状態で、乗員に正対する側に表示部42が表れるため、外観意匠性に優れたものとなる。
【００５０】
このように本実施例では、請求項１に対応して、収納部２と支持部３とを備え、収納部２を車両の内装部材たるインストルメントパネル11に設けられた小物入れたる収納凹部12に収納させるとともに、支持部３を収納凹部12に係止させて使用される車両用物品ホルダー１において、収納部２は上部の開口部６から底部に向かってテーパー形状となるような外壁部４，４，４，４を備え、外壁部４，４，４，４は断面略矩形であって、収納部２の底部たる上端52が外壁部４の底部より高くなっており、外壁部４の底部には底板部７が設けられ、底板部７には孔部９が形成され、底板部７が孔部９の周囲において、開口部６側に向かう折り返し部51を備えるから、収納部２の全体をテーパー状にした場合であっても、上げ底とすることで、カップやボトル等の収納物62を支持できる。
【００５１】
また、外壁部４の底部には底板部７が設けられ、底板部７には孔部９が形成され、底板部７が孔部９の周囲において、開口部６側に向かう折り返し部51を備えるから、上げ底を形成しつつ、孔部９に挿入することにより傘63等を収納することができる。
【００５２】
また、実施例上の効果として、支持部３の上部が、支持部３を収納するインストルメントパネル11の上面に倣った形状をなすから、収納凹部12に支持部３を収納した状態で一体感が得られる。また、図１０に示したように、収納凹部12に支持部３を収納した状態で、垂直に対する角度が前面部17より立板部22が大きいから、収納状態のホルダー１を、立板部22を用いて収納凹部12から簡便に取り外すことができる。さらに、外壁部４の外面に設けた縦リブ部38，38・・・により、収納部２を前記収納凹部12に対してがたつきを少なくして収納することができる。また、収納部２の底板部７上に水桶部57を設けたから、傘63等の水滴を溜めることができる。
【実施例２】
【００５３】
図１４〜図１５は、本発明の実施例２を示し、上記各実施例と同一部分に同一符号を付し、その詳細な説明を省略して詳述する。この例では、４つの前記外壁部４，４，４，４には、その左右方向中央に外壁孔部53が形成されている。この外壁孔部53は、前記折り返し部51の上端52と略同じ高さ位置にある載置受け部たる下縁部54と、この下縁部54の左右に下端が連結されるとともに湾曲した左右の斜め縁部55，55とを有し、左右の斜め縁部55，55の上端56は、外壁部４の左右方向中央において連結され、その外壁孔部53は略二等辺三角形形状をなす。尚、収納物62の底面が上側に凹んでいる場合は、折り返し部51の上端52を下縁部54より僅かに高くしてもよい。
【００５４】
前記下縁部54は底面部14と平行である。また、円筒状の底部を有する収納物62の場合、第１のケースとして、対向する外壁部４，４の下縁部54，54の外角部54Ｋ，54Ｋの間隔Ｌが収納物62の底面の直径Ｄ以上（Ｄ＝＜Ｌ）であり、下縁部54，54，54，54に収納物62を収納した状態で、収納物62が収納部２の外部に出っ張ることがない。或いは、第２のケースとして、図１０に示したように、収納部２と収納凹部12の内面部15との間に隙間Ｓがある場合は、収納凹部12に収納部２を収納した状態で、収納物62の底面の直径Ｄが前記間隔Ｌ以上で、下縁部54位置の内面部15，15の間隔Ｌ１以下（Ｄ＝＜Ｌ１）の収納物62を収納することができる。また、第１及び第２のケースとも、対向する外壁部４，４の下縁部54，54の内角部の間隔を収納物62の底部の直径Ｄ以下とすることが好ましい。
【００５５】
また、前記第１及び第２ケースにおいて、前記斜め縁部55の端面55Ａは、直径Ｄが間隔Ｌに等しい収納物62の外面に接するか僅かに隙間ができるように形成されている。即ち、斜め縁部55の端面55Ａは、円筒状をなす収納物62の外周に倣った形状をなす。
【００５６】
このように外壁孔部53を設けることにより、設けない場合よりも大きな収納物62をすることができる。さらに、下方に向かってテーパー状に狭くなる収納空間８において、収納物62の下面62Ｋを、底面部14より上の位置の折り返し部51の上端52と外壁孔部53の下縁部54とにより支持するから、収納凹部12に収納する収納物61と外径が同じか大きい収納物62を、収納空間８に安定して収納することもできる。
【００５７】
また、１つの外壁部４に一対の斜め縁部55，55が設けられ、全体で四対の斜め縁部55，55によって挟まれるようにして収納物62の外面が位置決めされるため、略矩形の収納空間８内に収納物62を安定して収納することができる。
【００５８】
このように本実施例では、上記各実施例と同様な作用・効果を奏する。
【００５９】
このように本実施例では、請求項２に対応して、外壁部４の折り返し部51の上端52の位置から上方には外壁孔部53が形成されているから、カップやボトル等の収納物62を底まで押し込み易くできる。また、図１３と図１４を比較して分かるように、同径の収納物62を収納する場合、外壁孔部53を設けたものの方が上げ底構造を低くすることができる。
【００６０】
このように本実施例では、請求項４に対応して、外壁孔部53には、収納物62の下部たる下面62Ｋが載置される載置受け部たる下縁部54が設けられているから、下縁部54により収納物62を安定して支持することができる。
【００６１】
また、実施例上の効果として、外壁孔部53から収納部２の内部の収納物62の一部が視認されるから、収納凹部12に支持部３を収納した状態で従来にない外観が得られる。
【実施例３】
【００６２】
図１６は、本発明の実施例３を示し、上記各実施例と同一部分に同一符号を付し、その詳細な説明を省略して詳述する。同図に示すように、この例では、外壁部４の内面に前記外壁孔部53に対応した凹所71を形成している。この凹所71は、前記開口部６から底板部７に向かって、外壁部４の板厚が薄くなるように形成されており、凹所71は円筒の外周に倣った形状をなしている。
【００６３】
また、凹所71の下端には、前記折り返し部51の上端52と略同じ高さ位置に、載置受け部たる横方向の下支持面72が設けられ、この下支持面72は前記底板部７と略平行に形成されている。また、下支持面72の左右には湾曲した左右縁部73，73の下端が連結され、左右縁部73，73の上端74は、外壁部４の左右方向中央において連結され、その凹所71は略二等辺三角形形状をなす。尚、収納物62の底面が上側に凹んでいる場合は、折り返し部51の上端52を下支持面72より僅かに高くしてもよい。
【００６４】
そして、対向する外壁部４，４の下支持面72，72の外角部72Ｋ，72Ｋの間隔Ｌ２は、収納物62の底面の直径Ｄ以上（Ｄ＝＜Ｌ２）であり、且つ４つの外壁部４，４，４，４の下支持面72，72，72，72により収納物62の下面62Ｋが支持されるように形成されている。また、対向する外壁部４，４の下支持面72，72の内角部の間隔を収納物62の底部の直径Ｄ以下とすることが好ましい。
【００６５】
このように本実施例では、上記各実施例と同様な作用・効果を奏する。
【００６６】
このように本実施例では、請求項３に対応して、収納部２と支持部３とを備え、収納部２を車両の内装部材たるインストルメントパネル11に設けられた小物入れたる収納凹部12に収納させるとともに、支持部３を収納凹部12に係止させて使用される車両用物品ホルダー１において、収納部２は上部の開口部６から底部に向かってテーパー形状となるような外壁部４，４，４，４を備え、外壁部４，４，４，４は断面略矩形であって、収納部２の底部たる上端52が外壁部４の底部より高くなっており、外壁部４の内面には、外壁部４の板厚が開口部６から底部に向かって薄くなって形成された凹所71が設けられているから、収納部２の大きさを維持しつつ、収納部２のインストルメントパネル11への収納が容易となる。
【００６７】
このように本実施例では、請求項５に対応して、凹所71の下部には、収納物62の下部たる下面62Ｋが載置される載置受け部たる下支持面72が設けられているから、下支持面72により収納物62を安定して支持することができる。
【００６８】
また、実施例上の効果として、円筒状の収納物62の外周が四方の凹所71，71，71，71の湾曲面により位置決め保持される。
【００６９】
［参考例１］
図１７〜図１８は、本発明の参考例１を示し、上記各実施例と同一部分に同一符号を付し、その詳細な説明を省略して詳述する。この例では、上げ底構造として、格子状のリブを採用し、同図に示すように、収納部２の底部には、前後方向の前後リブ部75と、これと交差する左右方向の左右リブ部76が複数格子状に設けられ、これらリブ部75，76は外壁部４の内面部15と底板部７の上面の両者又は一方に一体成型することにより固定されている。そして、リブ部75，76の上端77が、収納物62が載置される収納部２の底部である。
【００７０】
したがって、底部に向かってテーパー状に形成された収納部２を、格子状のリブ部75，76によって上げ底にすることにより、収納凹部12に収納可能な収納物を安定して収納することができる。
【００７１】
また、リブ部75，76を外壁部４の内面部に固定した場合には、底板部７を設ける必要がなくなる。さらに、中央の升目78に対応して底板部７に孔部（図示せず）を形成し、この孔部に傘63を保持するようにしてもよい。
【００７２】
このように本参考例では、格子状のリブ部75，76からなる上げ底構造により、上記各実施例と同様な作用・効果を奏する。
【００７３】
［参考例２］
図１９は、本発明の参考例２を示し、上記各実施例及び参考例と同一部分に同一符号を付し、その詳細な説明を省略して詳述する。この例では、上げ底構造として、放射状のリブを採用し、同図に示すように、収納部２の底部には、前記孔部９が設けられ、この孔部９から放射状に複数のリブ部81，81・・・が設けられ、これらリブ部81，81・・・は外壁部４の内面部と底板部７の上面の両者又は一方に一体成型することにより固定されている。そして、リブ部81の上端82は、底板部７より位置が高く、収納物62が載置される収納部２の底部である。
【００７４】
したがって、底部に向かってテーパー状に形成された収納部２を、放射状のリブ部81，81・・・によって上げ底にすることにより、収納凹部12に収納可能な収納物を安定して収納することができる。また、孔部９により収納物たる傘63を保持することができる。
【００７５】
このように本参考例では、放射状のリブ部81，81・・・からなる上げ底構造により、上記実施例と同様な作用・効果を奏する。
【００７６】
［参考例３］
図２０は、本発明の参考例３を示し、上記各実施例及び参考例と同一部分に同一符号を付し、その詳細な説明を省略して詳述する。この例では、上げ底構造として、ピン状の突起を用い、同図に示すように、収納部２の底部には、前記孔部９が設けられ、底板部７の上面に、複数のピン状の突起85，85・・・を突設している。そして、突起85の上端86が、収納物62が載置される収納部２の底部である。
【００７７】
したがって、底部に向かってテーパー状に形成された収納部２を、複数のピン状の突起85，85・・・によって上げ底にすることにより、収納凹部12に収納可能な収納物を安定して収納することができる。また、孔部９により収納物たる傘63を保持することができる。
【００７８】
このように本参考例では、複数のピン状の突起85，85・・・からなる上げ底構造により、上記各実施例と同様な作用・効果を奏する。
【００７９】
尚、本発明は、本実施例に限定されるものではなく、本発明の要旨の範囲内で種々の変形実施が可能である。例えば、実施例では、内装部材として、インストルメントパネルを例示したが、コンソールボックスなどでもよい。また、実施例では、底板部に設ける孔部と折り返し部が円形のものを示したが、角型でもよい。さらに、斜め縁部の端面を垂直に形成してもよい。
【符号の説明】
【００８０】
１  車両用物品ホルダー
２  収納部
３  支持部
４  外壁部
６  開口部
７  底板部
９  孔部
11  インストルメントパネル（内装部材）
12  収納凹部（小物入れ）
51  折り返し部
52  上端（収納部の底部）
53  外壁孔部
54  下縁部（載置受け部）
61  収納物
62  収納物
63  傘（収納物）
71  凹所
72  下支持面（載置受け部）
77  上端（収納部の底部）
82  上端（収納部の底部）
86  上端（収納部の底部）
【図１】
0006461778.tif 000002
【図２】
0006461778.tif 000003
【図３】
0006461778.tif 000004
【図４】
0006461778.tif 000005
【図５】
0006461778.tif 000006
【図６】
0006461778.tif 000007
【図７】
0006461778.tif 000008
【図８】
0006461778.tif 000009
【図９】
0006461778.tif 000010
【図１０】
0006461778.tif 000011
【図１１】
0006461778.tif 000012
【図１２】
0006461778.tif 000013
【図１３】
0006461778.tif 000014
【図１４】
0006461778.tif 000015
【図１５】
0006461778.tif 000016
【図１６】
0006461778.tif 000017
【図１７】
0006461778.tif 000018
【図１８】
0006461778.tif 000019
【図１９】
0006461778.tif 000020
【図２０】
0006461778.tif 000021